(57)【要約】【課題】端末装置の制約を受けず、かつ、情報入力源が印刷物に特化されることなく、迅速かつ正確なＷｅｂサーバへの接続を実現する。【解決手段】端末装置とＷｅｂサーバとはＩＰ網を介して接続されるＷｅｂサーバ接続管理装置（ＤＮＳサーバ３）であって、端末装置を介して入力される簡易コードを受信する簡易コード受信部３１と、受信した簡易コードであらかじめ設定された変換テーブル３５からＩＰアドレスを抽出し、端末装置へ通知してＷｅｂサーバに接続するように端末装置に指示する接続先情報通知部３２とを備えたことを特徴とする。【選択図】      図２
2004326511.tif 000002
【特許請求の範囲】
【請求項１】
端末装置とＷｅｂサーバとはＩＰ網を介して接続されるＷｅｂサーバ接続管理装置であって、
前記端末装置を介して入力される簡易コードを受信する簡易コード受信部と、前記受信した簡易コードであらかじめ設定された変換テーブルから接続先情報を抽出して前記端末装置に通知し、前記Ｗｅｂサーバに接続するように前記端末装置に指示をする接続先情報通知部と、
を備えたことを特徴とするＷｅｂサーバ接続管理装置。
【請求項２】
前記簡易コードには、前記接続先情報を特定するためのアクセス先コードの他に、識別コードと接続予約日時情報が割り当てられ、前記受信した簡易コードに前記識別コードが含まれていた場合、当該識別コードに続く接続予約日時情報を記憶装置へ登録し、時間監視を行ない、前記接続予約日時に該当Ｗｅｂサーバに接続するように前記端末装置に指示をする予約接続通知部と、
を備えたことを特徴とする請求項１に記載のＷｅｂサーバ接続管理装置。
【請求項３】
端末装置とＷｅｂサーバとはＩＰ網を介して接続されるＷｅｂサーバ接続管理装置であって、
前記端末装置を介して入力される簡易コードを受信する簡易コード受信部と、前記受信した簡易コードであらかじめ設定された変換テーブルを索引し、前記簡易コード配下の該当候補となる接続先情報を抽出して前記Ｗｅｂサーバに接続するように前記端末装置に指示をする曖昧検索結果通知部と、
を備えたことを特徴とするＷｅｂサーバ接続管理装置。
【請求項４】
前記変換テーブルは、前記簡易コードを構成する各桁に対応して次に索引するテーブル番号が記憶された非エンドテーブルと、前記簡易コードを構成する所定の桁に対応して接続先情報が記憶されたエンドテーブルと、を備え、
前記接続先情報通知部もしくは前記曖昧検索結果通知部は、各桁に対応する前記非エンドテーブルから当該桁の値に応じて次に索引するテーブル番号を読み出し該テーブル番号に従って順次該当するテーブルを索引していき、前記非エンドテーブルに到達したとき当該エンドテーブルから前記所定の桁の値に対応した接続先情報を読み出して前記端末装置に通知する
ことを特徴とする請求項１または３に記載のＷｅｂサーバ接続管理装置。
【請求項５】
端末装置と、当該端末装置とはＩＰ網を介して接続されるＷｅｂサーバとを接続するためのＷｅｂサーバ接続管理方法であって、
前記端末装置を介して入力される簡易コードを受信し、
前記受信した簡易コードであらかじめ設定された変換テーブルから接続先情報を抽出して前記端末装置へ通知し、前記Ｗｅｂサーバに接続するように前記端末装置に指示をする
ことを特徴とするＷｅｂサーバ接続管理方法。
【請求項６】
端末装置と、当該端末装置とはＩＰ網を介して接続されるＷｅｂサーバとを接続するためのＷｅｂサーバ接続管理方法であって、
前記端末装置を介して入力される簡易コードを受信し、
前記受信した簡易コードであらかじめ設定された変換テーブルを索引し、前記簡易コード配下の該当候補となる接続先情報を抽出して前記端末装置へ通知して前記Ｗｅｂサーバに接続するように前記端末装置に指示をする
ことを特徴とするＷｅｂサーバ接続管理方法。
【請求項７】
端末装置とＷｅｂサーバがＩＰ網を介して接続されるＷｅｂサーバ接続管理装置に用いられるプログラムであって、
前記端末装置を介して入力される簡易コードを受信するステップと、
前記受信した簡易コードであらかじめ設定された変換テーブルから接続先情報を抽出して前記端末装置へ通知し、前記Ｗｅｂサーバに接続するように前記端末装置に指示をするステップと、
をコンピュータに実行させるＷｅｂサーバ接続管理プログラム。
【請求項８】
端末装置とＷｅｂサーバがＩＰ網を介して接続されるＷｅｂサーバ接続管理装置に用いられるプログラムであって、
前記端末装置を介して入力される簡易コードを受信するステップと、
前記受信した簡易コードであらかじめ設定された変換テーブルを索引し、前記簡易コード配下の該当候補となる接続先情報を抽出して前記端末装置へ通知し、前記Ｗｅｂサーバへに接続するように前記端末装置に指示をするステップと、
をコンピュータに実行させるＷｅｂサーバ接続管理プログラム。
【請求項９】
端末装置とＷｅｂサーバがＩＰ網を介して接続されるＷｅｂサーバ接続管理装置に用いられるプログラムを記録したコンピュータ読み取り可能な記録媒体であって、
前記端末装置を介して入力される簡易コードを受信するステップと、
前記受信した簡易コードであらかじめ設定された変換テーブルから接続先情報を抽出して前記端末装置へ通知し、前記Ｗｅｂサーバに接続するように前記端末装置に指示をするステップと、
をコンピュータに実行させるＷｅｂサーバ接続管理プログラムを記録した記録媒体。
【請求項１０】
端末装置とＷｅｂサーバがＩＰ網を介して接続されるＷｅｂサーバ接続管理装置に用いられるプログラムを記録したコンピュータ読み取り可能な記録媒体であって、
前記端末装置を介して入力される簡易コードを受信するステップと、
前記受信した簡易コードであらかじめ設定された変換テーブルを索引し、前記簡易コード配下の該当候補となる接続先情報を抽出して前記端末装置へ通知し、前記Ｗｅｂサーバへに接続するように前記端末装置に指示をするステップと、
をコンピュータに実行させるＷｅｂサーバ接続管理プログラムを記録した記録媒体。
【発明の詳細な説明】
【０００１】
【発明の属する技術分野】
本発明は、Ｗｅｂサーバ接続管理装置および方法、ならびにＷｅｂサーバ接続管理プログラムおよび記録媒体に関する。
【０００２】
【従来の技術】
従来からインターネット接続環境を持つパソコンや携帯電話端末からインターネットを介してＷｅｂ（Ｗｏｒｌｄ  Ｗｉｄｅ  Ｗｅｂ）サーバにアクセスし、所望の情報を引出し、あるいは必要な情報を入力することが行われている。Ｗｅｂサーバへのアクセスは、ＷｅｂサーバのＵＲＬ（Ｕｎｉｆｏｒｍ  Ｒｅｓｏｕｒｃｅ  Ｌｏｃａｔｅｒ）を、パソコンや携帯電話により手入力で行うことにより実施していた。
その際、アドレスが長いと入力に時間を費やし、また、入力ミス発生の可能性が高くなるため、スムーズに接続することができず、苛立つことが多々あった。
【０００３】
このため、携帯電話端末本体にバーコード読み取り部を設け、ＩＰアドレスから成るＵＲＬが印刷されたバーコードを読み取って該当Ｗｅｂサーバにアクセスするサーバアクセス装置が提案されている（特許文献１、２参照）。また、接続されているネットワーク上での自装置の位置情報を受信する現在位置情報受信手段により受信した位置情報を記憶するＤＮＳ（Ｄｏｍａｉｎ  Ｎａｍｅ  Ｓｅｒｖｅｒ）問合わせ装置も提案されている（特許文献３参照）。
【０００４】
【特許文献１】
特開２００１−１０３０９２号公報
【特許文献２】
特開２００２−７７９９４号公報
【特許文献３】
特開２００１−２１５１３５号公報
【０００５】
【発明が解決しようとする課題】
しかしながら上記したバーコードを用いたサーバアクセス装置によれば（特許文献１、２）、携帯電話端末が持つハードウェアの制約を受け、また、情報入力源が、バーコードが印刷された印刷物に特化されるといった制限を有していた。更に、ＤＮＳサーバのアクセス制御に関する技術（特許文献３）は存在するが、複数のＤＮＳサーバを必要とする欠点があった。
本発明は、上記事情に鑑みてなされたものであり、Ｇコード相当の簡易コードを用いることにより端末装置の制約を受けず、かつ、情報入力源が印刷物に特化されることなく、迅速かつ正確なＷｅｂサーバへの接続を実現し、また、簡易コードの割付けを工夫することにより、曖昧検索や接続時間予約等の付加価値サービスが可能な、Ｗｅｂサーバ接続管理装置および方法、ならびにＷｅｂサーバ接続管理プログラムおよび記録媒体を提供することを目的とする。
【０００６】
【課題を解決するための手段】
上記した課題を解決するために本発明は、端末装置とＷｅｂサーバとはＩＰ網を介して接続されるＷｅｂサーバ接続管理装置であって、前記端末装置を介して入力される簡易コードを受信する簡易コード受信部と、前記受信した簡易コードであらかじめ設定された変換テーブルから接続先情報を抽出して前記端末装置に通知し、前記Ｗｅｂサーバに接続するように前記端末装置に指示をする接続先情報通知部と、を備えたことを特徴とする。
【０００７】
本発明によれば、接続先情報通知部が、簡易コード受信部で受信した簡易コードであらかじめ設定された変換テーブルから接続先情報を抽出し、端末装置へ通知してＷｅｂサーバへの接続を指示することにより、端末装置の制約を受けず、かつ、情報入力源が印刷物に特化されることなく、手入力によるミスも防止でき、迅速かつ正確な接続を可能とするＷｅｂサーバ接続管理装置を提供することができる。
なお、ここで、「簡易コード」とは、録画予約で実績のある番組毎に付した予約番号であるＧコード（ジェムスターコード）のような複数桁から成る値であり、この値を表現するものとしては、数字、英数字、記号等の並びを想定している。また、簡易コードは、ここでは、少なくとも接続先情報を特定するためのアクセス先コードが含まれており、必要に応じて識別コードと、インターネット接続の接続予約日時情報とが含まれる。
【０００８】
また、本発明は、上述のＷｅｂサーバ接続管理装置において、前記簡易コードには、前記接続先情報を特定するためのアクセス先コードの他に、識別コードと接続予約日時情報が割り当てられ、前記受信した簡易コードに前記識別コードが含まれていた場合、当該識別コードに続く接続予約日時情報を記憶装置へ登録し、時間監視を行ない、前記接続予約日時に該当Ｗｅｂサーバに接続するように前記端末装置に指示をする予約接続通知部と、を備えたことを特徴とする。
【０００９】
本発明によれば、予約接続通知部が、簡易コード受信部によって受信した簡易コードに識別コードが含まれていた場合、続く接続予約日時情報を記憶装置へ登録し、時間監視を行ない、端末装置に対して接続予約日時に該当Ｗｅｂサーバへの接続するように指示することにより、インターネットの指定日時による接続や接続時間の設定が実現でき、ユーザに対して使い勝手の向上と利便性を与えることのできるＷｅｂサーバ接続管理装置を提供することができる。
【００１０】
また、上記した課題を解決するために本発明は、端末装置とＷｅｂサーバとはＩＰ網を介して接続されるＷｅｂサーバ接続管理装置であって、前記端末装置を介して入力される簡易コードを受信する簡易コード受信部と、前記受信した簡易コードであらかじめ設定された変換テーブルを索引し、前記簡易コード配下の該当候補となる接続先情報を抽出して前記Ｗｅｂサーバに接続するように前記端末装置に指示をする曖昧検索結果通知部と、を備えたことを特徴とする。
【００１１】
本発明によれば、曖昧検索結果通知部が、簡易コード受信部が受信した簡易コードであらかじめ設定された変換テーブルを索引し、簡易コード配下の接続先情報を抽出して端末装置へ通知してＷｅｂサーバへの接続を指示することにより、端末装置の制約を受けずに迅速かつ正確な接続を可能とする他に、該当サイト以外の接続先情報を複数列挙することによりユーザの選択肢を広げ、使い勝手の向上と利便性を与えることのできるＷｅｂサーバ接続管理装置を提供することができる。
【００１２】
また、本発明は、上述したＷｅｂサーバ接続管理装置において、前記変換テーブルは、前記簡易コードを構成する各桁に対応して次に索引するテーブル番号が記憶された非エンドテーブルと、前記簡易コードを構成する所定の桁に対応して接続先情報が記憶されたエンドテーブルと、を備え、前記接続先情報通知部もしくは前記曖昧検索結果通知部は、各桁に対応する前記非エンドテーブルから当該桁の値に応じて次に索引するテーブル番号を読み出し該テーブル番号に従って順次該当するテーブルを索引していき、前記非エンドテーブルに到達したとき当該エンドテーブルから前記所定の桁の値に対応した接続先情報を読み出して前記端末装置に通知することを特徴とする。
【００１３】
本発明によれば、接続先情報通知部もしくは曖昧検索結果通知部が、簡易コードの各桁に対応する非エンドテーブルから当該桁の値に応じて次に索引するテーブル番号を読み出し、読み出したテーブル番号に従って順次該当するテーブルを索引し、エンドテーブルに到達した場合に、簡易コードの所定の桁に基づいて、エンドテーブルから接続先情報を読み出すようにしたので、簡易コードによって接続先情報を特定することができ、このことにより、手入力によるミスも防止でき、迅速かつ正確な接続を可能とするＷｅｂサーバ接続管理装置を提供することができる。なお、所定の桁が所定の値（後述するワイルドカード値）であった場合には、該当するエンドテーブルに含まれる全ての接続先情報が端末装置に通知される。
【００１４】
上記した課題を解決するために本発明は、端末装置と、当該端末装置とはＩＰ網を介して接続されるＷｅｂサーバとを接続するためのＷｅｂサーバ接続管理方法であって、前記端末装置を介して入力される簡易コードを受信し、前記受信した簡易コードであらかじめ設定された変換テーブルから接続先情報を抽出して前記端末装置へ通知し、前記Ｗｅｂサーバに接続するように前記端末装置に指示をすることを特徴とする。
【００１５】
上記した課題を解決するために本発明は、端末装置と、当該端末装置とはＩＰ網を介して接続されるＷｅｂサーバとを接続するためのＷｅｂサーバ接続管理方法であって、前記端末装置を介して入力される簡易コードを受信し、前記受信した簡易コードであらかじめ設定された変換テーブルを索引し、前記簡易コード配下の該当候補となる接続先情報を抽出して前記端末装置へ通知して前記Ｗｅｂサーバに接続するように前記端末装置に指示をすることを特徴とする。
【００１６】
上記した課題を解決するために本発明は、端末装置とＷｅｂサーバがＩＰ網を介して接続されるＷｅｂサーバ接続管理装置に用いられるプログラムであって、前記端末装置を介して入力される簡易コードを受信するステップと、前記受信した簡易コードであらかじめ設定された変換テーブルから接続先情報を抽出して前記端末装置へ通知し、前記Ｗｅｂサーバに接続するように前記端末装置に指示をするステップと、をコンピュータに実行させることを特徴とする。
【００１７】
上記した課題を解決するために本発明は、端末装置とＷｅｂサーバがＩＰ網を介して接続されるＷｅｂサーバ接続管理装置に用いられるプログラムであって、前記端末装置を介して入力される簡易コードを受信するステップと、前記受信した簡易コードであらかじめ設定された変換テーブルを索引し、前記簡易コード配下の該当候補となる接続先情報を抽出して前記端末装置へ通知し、前記Ｗｅｂサーバへに接続するように前記端末装置に指示をするステップと、をコンピュータに実行させることを特徴とする。
【００１８】
上記した課題を解決するために本発明は、端末装置とＷｅｂサーバがＩＰ網を介して接続されるＷｅｂサーバ接続管理装置に用いられるプログラムを記録したコンピュータ読み取り可能な記録媒体であって、前記端末装置を介して入力される簡易コードを受信するステップと、前記受信した簡易コードであらかじめ設定された変換テーブルから接続先情報を抽出して前記端末装置へ通知し、前記Ｗｅｂサーバに接続するように前記端末装置に指示をするステップと、をコンピュータに実行させることを特徴とする。
【００１９】
上記した課題を解決するために本発明は、端末装置とＷｅｂサーバがＩＰ網を介して接続されるＷｅｂサーバ接続管理装置に用いられるプログラムを記録したコンピュータ読み取り可能な記録媒体であって、前記端末装置を介して入力される簡易コードを受信するステップと、前記受信した簡易コードであらかじめ設定された変換テーブルを索引し、前記簡易コード配下の該当候補となる接続先情報を抽出して前記端末装置へ通知し、前記Ｗｅｂサーバへに接続するように前記端末装置に指示をするステップと、をコンピュータに実行させることを特徴とする。
【００２０】
【発明の実施の形態】
図１は、本発明のＷｅｂサーバ接続管理方法を実現する通信インフラストラクチャを説明するために引用したシステム構成図である。
図１において、１は、ネットワーク接続環境を持つ携帯電話やパソコン（ＰＣ）等の端末装置であり、ＩＰ（Ｉｎｔｅｒｎｅｔ  Ｐｒｏｔｏｃｏｌ）網４を介してＷｅｂサーバ２およびＤＮＳサーバ３に接続される。
ＤＮＳサーバ３には、本発明のＷｅｂサーバ接続管理装置が実装され、端末装置１を介して入力される簡易コードを受信し、受信した簡易コードであらかじめ設定された変換テーブルから接続先情報を抽出して端末装置１へ通知し、Ｗｅｂサーバに接続するように端末装置１に指示をする機能を有する。また、Ｗｅｂサーバ接続管理装置は、端末装置１からの要求に基づいて、簡易コードに対応する接続先情報を直ちに通知する機能（リアルタイム通知機能）と、簡易コードの内容に応じて、曖昧検索を行う機能（曖昧検索機能）と、Ｗｅｂサーバへの接続時間予約を行う機能（予約接続機能）とを有する。これらの３つの機能についての詳細は後述する。なお、ここでいう接続先情報とは、ＩＰアドレスまたはドメイン名のいずれか一方または両方を含む情報である。
【００２１】
図２は、本発明のＷｅｂサーバ接続管理装置が実装されるＤＮＳサーバ３の内部構成を機能展開して示したブロック図である。
本発明のＷｅｂサーバ接続管理装置は、簡易コード受信部３１と、接続先情報通知部３２と、曖昧検索結果通知部３３と、予約接続通知部３４と、変換テーブル３５と、予約日時管理テーブル３６で構成される。
【００２２】
簡易コード受信部３１は、端末装置１を介して入力される簡易コードを受信し、接続先情報通知部３２もしくは曖昧検索結果通知部３３へ供給する。
接続先情報通知部３２は、受信した簡易コードであらかじめ設定された変換テーブル３５から接続先情報を抽出し、端末装置１へ通知してＷｅｂサーバ２へに接続するように指示するリアルタイム通知機能を持つ。また、曖昧検索結果通知部３３は、受信した簡易コードであらかじめ設定された変換テーブル３５を索引し、簡易コード配下の該当候補となる接続先情報を抽出してＷｅｂサーバ２に接続するように端末装置１に指示する曖昧検索機能を持つ。
【００２３】
なお、簡易コードには、接続先情報を特定するための情報であるアクセス先コードの他に、識別コードと接続予約日時情報が割り当てられる場合があり、予約接続通知部３４は、受信した簡易コードに識別コードが含まれていた場合、続く接続予約日時情報を予約日時管理テーブル３６へ登録し、時間監視を行ない、接続予約日時に該当Ｗｅｂサーバ２に接続するように端末装置に指示をする予約接続機能を持つ。
また、変換テーブル３５は、簡易コードを構成する各桁に対応して次に索引するテーブル番号が記憶された非エンドテーブルと、簡易コードを構成する所定の桁に対応して接続先情報が記憶されたエンドテーブルと、を備えており、接続先情報通知部３２もしくは曖昧検索結果通知部３３は、各桁に対応する非エンドテーブルから当該桁の値に応じて次に索引するテーブル番号を読み出し該テーブル番号に従って順次該当するテーブルを索引していき、非エンドテーブルに到達したとき当該エンドテーブルから所定の桁の値に対応した接続先情報を読み出して端末装置に通知する機能を有する。
【００２４】
次に、図１に戻り、端末装置１について説明する。端末装置１は、テンキー等の操作ボタンを介してユーザから入力される簡易コードをＷｅｂサーバ接続管理装置に送信する機能を有する。ここで、簡易コードを入力する方法としては、雑誌などを参照することによって簡易コードの全桁が判明している場合に簡易コードの全桁を入力する「全桁入力」と、簡易コードの桁のうち一部の桁について所定の値（例えば、「＊」などのワイルドカード値）を用いて、複数種類の接続先情報について取得するための「曖昧検索入力」とがある。
【００２５】
また、端末装置１は、Ｗｅｂサーバ接続管理装置が実装されるＤＮＳサーバから接続先情報が通知され、Ｗｅｂサーバ２に接続するように指示された場合、接続先情報によって特定されるＷｅｂサーバ２に対し、手動接続または自動接続によって接続するＷｅｂサーバアクセス機能を有する。このＷｅｂサーバアクセス機能のうち、手動接続は、Ｗｅｂサーバ２への接続指示を受けた場合に、接続指示されたＷｅｂサーバ２に接続するか否かを問い合わせする為の情報を端末装置１の表示画面に表示し、ユーザから「接続する」の指示が入力された場合にＷｅｂサーバ２に接続し、「接続しない」の指示が入力された場合にＷｅｂサーバ２には接続しない機能である。一方、自動接続は、Ｗｅｂサーバ接続管理装置から接続指示を受けた場合に、ユーザから「接続する」または「接続しない」の指示を受けることなくＷｅｂサーバ２に接続する機能である。この手動接続と自動接続との機能のうち、どちらのＷｅｂサーバアクセス機能を利用するかについては、ユーザが任意に設定可能である。
【００２６】
さらに、手動接続と自動接続との機能については、それぞれ、「予約あり」と「予約なし」の機能がある。「予約あり」の機能は、予約接続機能を利用した場合であって、Ｗｅｂサーバ接続管理装置から予約した指定日時に送信される接続指示を受信して、手動接続または自動接続を行う機能である。「予約なし」の機能は、Ｗｅｂサーバ接続管理装置からのリアルタイム通知機能によって接続指示された場合に手動接続または自動接続を行う機能である。
【００２７】
図３、図６は、本発明における第１の実施形態の動作を説明するために引用した図であり、Ｗｅｂサーバへの接続イメージ図（図３）、動作シーケンス図（図６）のそれぞれを示す。図中、図１と同一番号が付されたブロックは、図１に示すそれと同じ名称および機能を持つブロックとする。
この第１の実施形態においては、リアルタイム通知機能について説明する。すなわち、ユーザが所望とするＷｅｂ情報にアクセスする際、必要とするＵＲＬ入力の簡素化をはかるためにＧコード相当のＵＲＬが記述された簡易コードを用い、迅速、正確なＷｅｂサーバアクセス機能を実現するものである。
【００２８】
具体的には、簡易コードとして、例えば、国名、地域名、ジャンル名、メーカ製品名等の５桁のコードデータが割り付けられ、雑誌等に記載されたこれら簡易コード“１２７１４”をユーザが端末装置１から全桁入力する。このことにより、入力された簡易コードは、ＤＮＳサーバ３に送信される（Ｓ６１）。ＤＮＳサーバ３では、簡易コード受信部３１でこの簡易コードを受信し、接続先情報通知部３２が、受信した簡易コードで変換テーブル３５の非エンドテーブルを順次索引し、エンドテーブルに到達した場合、簡易コードの最終桁に該当する接続先情報であるＩＰアドレス“２５６．１１．１８．１９”を抽出して端末装置１へ返送し、Ｗｅｂサーバ２に接続するように指示をする（Ｓ６２）。端末装置１では、この接続指示を受けると、受信したＩＰアドレスに基づくＷｅｂサーバ２への接続を行う（Ｓ６３）。この場合における端末装置１からＷｅｂサーバ２に対する接続は、手動接続または自動接続によって行われる。
【００２９】
ここで、変換テーブル３５の索引方法について図９を用いて説明する。変換テーブル３５は、図９に示されるように、ここでは、国名、地域名、商品名の各テーブルが用意され、それぞれのテーブルにテーブル番号（テーブル番号０〜４）が付されている。ここでは、国名テーブル、地域名テーブルが非エンドテーブルであり、簡易コードを構成する各桁に対応して次に索引するテーブル番号が記憶されている。そして、商品名テーブルがエンドテーブルであり、簡易コードを構成する所定の桁（ここでは、アクセス先コードの最終桁）に対応して接続先情報として、ＩＰアドレスとドメイン名が対応付けられて記憶されている。
【００３０】
ＤＮＳサーバ３は、端末装置１から受信した簡易コード“１２７１４”（ａｂｃ社製のＤＶＤ指定）に基づき、まずテーブル番号“０”のテーブルにおいて、簡易コードの１桁目の値“１”で索引する。ここでは、簡易コード“１”に該当するインデックス値“１”には、次テーブル番号を示す“２”が対応付けされているので、次に、テーブル番号“２”のテーブルに移行し、このテーブル番号“２”のテーブルにおいて、簡易コードの次の２桁目の値“２”で索引する。以上の動作を順次繰り返し、商品名のテーブル（エンドテーブル）に到達したとき、この商品名のテーブルから簡易コードの最後の桁“４”に該当するインデックス値“４”に対応付けられた候補ＩＰアドレス（２５６．１１．１８．１９）と候補ドメイン名（ａｂｃ，ｃｏ，ｊｐ）を読み出し、端末装置１に返送する。
なお、ここでは５桁の簡易コードを示したが、予約日時等のオプション指定がある場合は、その分の接続予約日時情報が予約日時管理テーブルに登録される。
【００３１】
図４、図７は、本発明における第２の実施形態の動作を説明するために引用した図であり、Ｗｅｂサーバ２への接続イメージ図（図４）、動作シーケンス図（図７）のそれぞれを示す。図中、図１と同一番号が付されたブロックは、図１に示すそれと同じ名称および機能を持つブロックとする。
この第２の実施形態においては、曖昧検索機能について説明する。すなわち、あらかじめ設定された変換テーブル３５を索引して簡易コード配下の該当候補ドメイン名、候補ＩＰアドレス（関連サイト）を抽出する曖昧検索により、ユーザへ選択肢を提供して付加価値サービスを行ない、迅速、かつ正確なＷｅｂサーバアクセス機能を実現するものである。
【００３２】
具体的には、端末装置１から簡易コード入力を行ない、ＤＮＳサーバ３へ送信する。ここでは、メーカ指定無しのＤＶＤサイトのＩＰアドレスを得るために、簡易コードとして“１２７１＊”が入力される（Ｓ７１）。
ＤＮＳサーバ３は、簡易コード受信部３１でこの簡易コードを受信し、曖昧検索結果通知部３３が、受信した簡易コードにより変換テーブル３５を順次索引し、該当候補ドメイン名およびそのＩＰアドレスを抽出する（Ｓ７２）。ここでは、受信した簡易コードであらかじめ設定された変換テーブル３５を索引し、簡易コードデータ配下である、日本（１）／大阪（２）／家電（７）／ＤＶＤ（１）の該当候補ドメイン名、およびそのＩＰアドレス（２５６．１１．１８．０１  ｄｅｆ．ｃｏ．ｊｐ／…／２５６．１１．１８．１９  ａｂｃ．ｃｏ．ｊｐ）を端末装置１へ送信する。ここでは、このアクセス先コードの最終桁が曖昧検索を指定するワイルドカード値であるので、当該エンドテーブル内に含まれる全ての接続先情報が読み出されて端末装置１に通知される。この結果、端末装置１の表示画面には、ＤＶＤに関連するメーカのＩＰアドレスが列挙された＜Ａ＞エリア（図４参照）に示すような情報が表示される。ユーザは、表示された該当候補ドメイン等により任意に該当ドメイン名、またはＩＰアドレスを選択する。これにより、端末装置１から、各サイトのＷｅｂサーバ２に手動または自動でアクセスが可能となる（Ｓ７３）。
【００３３】
なお、ここでは、インデックスの末尾（メーカ）を曖昧検索の該当桁としたが、“１＊７１４”のように途中（地域）に曖昧検索の該当桁を設定してもよい。また、該当候補ドメインとして送信する件数は全て、もしくは上位１０件毎送信することとする。
【００３４】
図５、図８は、本発明における第３の実施形態の動作を説明するために引用した図であり、Ｗｅｂサーバへの接続イメージ図（図５）、動作シーケンス図（図８）のそれぞれを示す。図中、図１と同一番号が付されたブロックは、図１に示すそれと同じ名称および機能を持つブロックとする。
この第３の実施形態においては、予約接続機能について説明する。すなわち、ユーザが所望する指定日時を簡易コードで入力することにより、指定日時にＷｅｂサーバ２をアクセスすることのできる付加価値サービスを行ない、迅速、かつ正確なＷｅｂサーバアクセス機能を実現するものである。
【００３５】
具体的には、端末装置１から簡易コード入力（２００３年２月１０日の１３時００分にａｂｃ社のＤＶＤサイトを見たい）を行ない、ＤＮＳサーバ３へ送信する。ここでは、簡易コードとして、第１、第２の実施形態で示したアクセス先の簡易コード５桁の他に、識別コードと予約日時情報が含まれる“１２７１４＃＃２００３０２１０１３００”が入力される（Ｓ８１）。
ＤＮＳサーバ３は、簡易コード受信部３１でこの簡易コードを受信し、接続先情報通知部３２が、受信した簡易コードのうち、アクセス先コード“１２７１４”により変換テーブル３５を索引し、該当ＩＰアドレス“２５６．１１．１８．１９”を抽出する（Ｓ８２）。ここで、簡易コードに識別コード“＃＃”が含まれていた場合、予約接続通知部３４が起動され、予約接続通知部３４は、予約日時情報“２００３０２１０１３００”を該当ＩＰアドレス“２５６．１１．１８．１９”に対応付けて予約日時管理テーブル３６に登録する。予約接続通知部３４は、更に、予約日時管理テーブル３６に登録された内容に基づき時間監視を行ない、指定日時（２００３年２月１０日１３時００分）に該当呼が存在したときに登録されてあるＩＰアドレス“２５６．１１．１８．１９”を端末装置１に返送し、Ｗｅｂサーバ２に接続するように指示をする（Ｓ８２）。
端末装置１では、このことを受けて受信したＩＰアドレスに基づくＷｅｂサーバ２に対し自動接続する（Ｓ８３）。なお、手動接続が設定されていた場合には、端末装置１が、接続するか否かについて問い合わせるための画面表示を行い、ユーザから「接続する」が指示された場合に接続する。
【００３６】
ここで、予約日時設定時の変換テーブル３５の索引方法について図１０を用いて説明する。ここに示す変換テーブル３５は、各テーブル（テーブル番号０〜４）ともに、インデックス値、国名、次テーブル番号、候補ＩＰアドレス、オプション指定表示欄で構成される。
ここで、ＤＮＳサーバ３の接続先情報通知部３２は、端末装置１から受信した簡易コードで変換テーブル３５を索引し、識別コード“＃＃”を受信してあれば、予約接続通知部３４を起動して上記した予約設定処理を実行し、該当時間になった場合に、Ｗｅｂサーバ２へのアクセスするように端末装置１に指示をする。
ここで、簡易コード受信部３１によって、端末装置１から受信した簡易コードが“１２７１４（ａｂｃ社製のＤＶＤ指定）＃＃２００３０２１０１３００（２００３年２月１０日１３時００分接続指定）”で変換テーブル３５を索引する場合を想定すれば、以下のようになる。
【００３７】
すなわち、上記した手順に従い、受信した簡易コードの桁数分だけ変換テーブル３５を索引して該当ドメイン名とＩＰアドレスをテーブル索引し、受信した簡易コードの中に識別コード“＃＃”があって、かつ、最終テーブルのオプション指定表示が“Ｙｅｓ”であったときに、予約日時管理テーブル３６に、後続する予約設定日時情報と、送信元ＩＰアドレス（端末装置１）とアクセス先ＩＰアドレス（Ｗｅｂサーバ２）を設定登録する。
ＤＮＳサーバ３は、予約日時管理テーブル３６を周期監視して該当データが登録されていれば、送信元ＩＰアドレス端末として登録されてある端末装置１（１０．１３２．１８２．１０７）に対してアクセス先となるＷｅｂサーバ２のＩＰアドレス（２５６．１１．１８．１９）を返送し、Ｗｅｂサーバ２に接続するように指示をする。
【００３８】
以上説明のように本発明は、Ｇコード相当の簡易コードを用いることにより端末の制約を受けず、かつ、情報入力源が印刷物に特化されることなく、迅速かつ正確な接続を実現し、また、簡易コードの割付けを工夫することにより、曖昧検索や接続時間予約等の付加価値サービスを実現するものである。
【００３９】
なお、上述した第１から第３の実施形態においては、簡易コードが判明している場合について説明したが、簡易コードが判明していない場合に、Ｗｅｂサーバ接続管理装置と端末装置１とが通信を行い、対話形式画面によって簡易コードを特定するようにしてもよい。例えば、端末装置１から国名テーブルから国名を選択し、地域名テーブルから地域名を選択していくように、順次各テーブルから該当する項目を対話形式で順次選択し、選択された項目に該当するインデックス値を順に並べることにより、簡易コードを生成し、Ｗｅｂサーバ接続管理装置から端末装置１に通知するようにしてもよい。これにより、簡易コードが全くわからないユーザに対し、簡易コードを提供することができる。
【００４０】
なお、図２に示す簡易コード受信部３１と、接続先情報通知部３２と、曖昧検索結果通知部３３と、予約接続通知部３４のそれぞれで実行される手順をコンピュータ読み取り可能な記録媒体に記録し、この記録媒体に記録されたプログラムをコンピュータシステムに読み込ませ、実行することにより本発明のＷｅｂサーバ接続管理装置が実現されるものとする。ここでいうコンピュータシステムとは、ＯＳや周辺機器等のハードウェアを含むものである。
【００４１】
また、「コンピュータシステム」は、ＷＷＷシステムを利用している場合であれば、ホームページ提供環境（あるいは表示環境）も含むものとする。
また、「コンピュータ読取り可能な記録媒体」とは、フレキシブルディスク、光磁気ディスク、ＲＯＭ、ＣＤ−ＲＯＭ等の可搬媒体、コンピュータシステムに内蔵されるハードディスク等の記憶装置のことをいう。さらに「コンピュータ読み取り可能な記録媒体」とは、インターネット等のネットワークや電話回線等の通信回線を介してプログラムが送信された場合のシステムやクライアントとなるコンピュータシステム内部の揮発性メモリ（ＲＡＭ）のように、一定時間プログラムを保持しているものも含むものとする。
【００４２】
また、上記プログラムは、このプログラムを記憶装置等に格納したコンピュータシステムから、伝送媒体を介して、あるいは、伝送媒体中の伝送波により他のコンピュータシステムに伝送されてもよい。ここで、プログラムを伝送する「伝送媒体」は、インターネット等のネットワーク（通信網）や電話回線等の通信回線（通信線）のように情報を伝送する機能を有する媒体のことをいう。
また、上記プログラムは、前述した機能の一部を実現するためのものであっても良い。さらに、前述した機能をコンピュータシステムにすでに記録されているプログラムとの組み合わせで実現できるもの、いわゆる差分ファイル（差分プログラム）であっても良い。
【００４３】
以上、この発明の実施形態につき、図面を参照して詳述してきたが、具体的な構成はこの実施形態に限られるものではなく、この発明の要旨を逸脱しない範囲の設計等も含まれる。
【００４４】
【発明の効果】
以上説明のように本発明によれば、Ｗｅｂ接続のためのアドレス設定時、Ｇコード相当の簡易コードを用いることで手入力によるミスを防ぎ、迅速かつ正確なＷｅｂサーバのアクセスが可能となり、このためのユーザの負担が軽減できる。また、該当サイト以外の該当候補ドメイン／候補ＩＰアドレス（関連サイト）により曖昧検索等の付加価値サービスが提供でき、サービス性に優れたＷｅｂ接続管理装置を提供できる。
更に、簡易コードの桁数を増やすことにより、Ｗｅｂ接続時間の設定や指定日時による接続等の予約機能も備えることができ、上記した曖昧検索同様、付加価値サービスを提供でき、また、本発明は、ＤＮＳサーバに特化して実現されるため、他のシステムと比較して保守性の面で優れている。
【図面の簡単な説明】
【図１】本発明のＷｅｂサーバ接続管理方法を実現する通信インフラストラクチャを説明するために引用したシステム構成図である。
【図２】本発明のＷｅｂサーバ接続管理装置が実装されるＤＮＳサーバの内部構成を機能展開して示したブロック図である。
【図３】本発明における第１の実施形態の動作を説明するために引用した図である。
【図４】本発明における第２の実施形態の動作を説明するために引用した図である。
【図５】本発明における第３の実施形態の動作を説明するために引用した図である。
【図６】本発明における第１の実施形態の動作を説明するために引用した動作シーケンス図である。
【図７】本発明における第２の実施形態の動作を説明するために引用した動作シーケンス図である。
【図８】本発明における第３の実施形態の動作を説明するために引用した動作シーケンス図である。
【図９】本発明で用いられる変換テーブルの構成と変換ロジックを説明するために引用した図である。
【図１０】本発明で用いられる予約日時管理テーブルの構成と、予約日時設定時の変換テーブルの索引ロジックを説明するために引用した図である。
【符号の説明】
１…端末装置、２…Ｗｅｂサーバ、３…ＤＮＳサーバ（Ｗｅｂサーバ接続管理装置）、４…ＩＰ網、３１…簡易コード受信部、３２…接続先情報通知部、３３…曖昧検索結果通知部、３４…予約接続通知部、３５…変換テーブル、３６…予約日時管理テーブル
【図１】
2004326511.tif 000003
【図２】
2004326511.tif 000004
【図３】
2004326511.tif 000005
【図４】
2004326511.tif 000006
【図５】
2004326511.tif 000007
【図６】
2004326511.tif 000008
【図７】
2004326511.tif 000009
【図８】
2004326511.tif 000010
【図９】
2004326511.tif 000011
【図１０】
2004326511.tif 000012